(57)【要約】【課題】クリップの先端部の軸心方向へ押圧による係止部からの解除を抑制するとともに、筆記体の交換が容易な、シャープペンシル体を含むスライド式の複合筆記具を簡単な構造で提供する。【解決手段】シャープペンシル体を含むスライド式の複合筆記具であって、前記シャープペンシル体に連接した摺動体にクリップを一体に形成または付設し、前記クリップの先端部の玉部が、前記シャープペンシル体の先端部の没入状態から前記軸筒の先端開口部から突出を維持するまで、前記軸筒の外表面と離間してスライドするとともに、前記軸筒の外表面に、前記シャープペンシル体の鉛芯繰出機構の作動時に前記玉部に当接する凸部を形成したことを特徴とする。【選択図】          図１
2009202336.tif 000002
【特許請求の範囲】
【請求項１】
軸筒内にシャープペンシル体を含む複数の筆記体を配設し、各筆記体の後部に連接した摺動体を、コイルスプリングにより軸筒後端方向に付勢して摺動溝に摺動自在に収納し、前記摺動体を軸筒先端方向にスライドすることにより、摺動体の後端部に形成した係合突起を軸筒に形成した係止部に係止して筆記体の突出を維持するとともに、前記シャープペンシル体の先端部が、前記軸筒の先端開口部から突出を維持した状態で、前記シャープペンシル体に連接した摺動体を軸筒先端方向にスライドすることにより、前記シャープペンシル体の鉛芯繰出機構を作動させて、鉛芯を繰り出し可能としたシャープペンシル体を含むスライド式の複合筆記具であって、前記シャープペンシル体に連接した摺動体にクリップを一体に形成または付設し、前記クリップの先端部の玉部が、前記シャープペンシル体の先端部の没入状態から前記軸筒の先端開口部から突出を維持するまで、前記軸筒の外表面と離間してスライドするとともに、前記軸筒の外表面に、前記シャープペンシル体の鉛芯繰出機構の作動時に前記玉部に当接する凸部を形成したことを特徴とするシャープペンシル体を含むスライド式の複合筆記具。
【請求項２】
前記シャープペンシル体の先端部が、前記軸筒の先端開口部から突出を維持した状態で、前記クリップ部材の先端部の玉部が、前記凸部に近接するとともに、前記軸筒の軸心から垂直に延び、前記凸部を通過する垂線上に位置することを特徴とする請求項１に記載のシャープペンシル体を含むスライド式の複合筆記具。
【請求項３】
前記クリップの上面の先端部に貫通孔を形成し、前記上面部に設けた貫通穴から装飾部を突出して具備するとともに、前記装飾部が、軸心方向に向かって移動及び／または圧縮可能に具備してあることを特徴とする請求項１または２に記載のシャープペンシル体を含むスライド式の複合筆記具。
【請求項４】
前記クリップの上面の先端部に、装飾部を具備するとともに、前記装飾部が、弾性体からなることを特徴とする請求項１ないし３の何れか１項に記載のシャープペンシル体を含むスライド式の複合筆記具。
【請求項５】
前記凸部の周方向の幅が、前記クリップ先端部の周方向の幅よりも大きいことを特徴とする請求項１ないし４の何れか１項に記載のシャープペンシル体を含むスライド式の複合筆記具。
【請求項６】
前記クリップを一体に形成または付設した摺動体を付勢するコイルスプリングの取付荷重が、他のコイルスプリングの取付荷重よりも大きいことを特徴とする請求項１ないし５の何れか１項に記載のスライド式の複合筆記具。
【発明の詳細な説明】
【技術分野】
【０００１】
本発明は、軸筒内に、少なくとも１本のシャープペンシル体を含むスライド式の複合筆記具に関する。
【背景技術】
【０００２】
従来のシャープペンシル体を含むスライド式の複合筆記具は、特開２００５−１１１８７６号公報に開示してあるように、軸筒後端部内の摺動溝内に配設したコイルスプリングにより軸筒後端方向に付勢した一方の摺動体を、軸筒先端開口部方向にスライドすることにより摺動体の後端部に形成した係合突起を軸筒後端部内に形成した係止部に係止して、ボールペン体の筆記先端部を軸筒先端開口部から突出することができ、シャープペンシル体に連接した他方の摺動体を軸筒先端方向にスライドせしめることで、係止部に係止していた一方の係合突起を他方の解除突起が解除し、さらに他方の摺動体を前進することにより他方の係合突起が係止部に係止してシャープペンシル体の突出状態を維持することのできる、筆記先端部を選択して操り出し可能な繰り出し機構を有するともに、シャープペンシル体の突出状態を維持した状態で、シャープペンシル体に連接した摺動体を軸筒先端方向にスライドすることにより、シャープペンシル体の鉛芯繰出機構（図示せず）を作動させて鉛芯を繰出し可能な構造であり、摺動体にクリップを一体に形成した構造もよく知られている。
【０００３】
こうしたスライド式の複合筆記具は、シャープペンシル体を突出状態にした後、或いは、シャープペンシルの鉛芯繰出作動の時に、使用者の指等がクリップの先端側に触れた場合等、クリップの先端部が軸心方向へ押圧されると、クリップの後端側が、クリップの先端部の内壁を支点にして軸筒の外方方向へ持ち上げられ、クリップに連接した摺動体の係合突起が係止部から外れて、シャープペンシル体が没入してしまう問題があった。
【０００４】
こうした問題を鑑みて、特開２００７−１１８２２０号公報「出没式筆記具」には、クリップの玉部よりも前方に、軸筒外周面に接触または近接する突部を設けた構造や特開２００７−５５１５６号公報「複式筆記具」に、軸筒に溝を形成し、溝に形成した段部にクリップの玉部を当接する構造が開示されている。
【特許文献１】特開２００５−１１１８７６号公報
【特許文献２】特開２００７−１１８２２０号公報
【特許文献３】特開２００７−５５１５６号公報
【発明の開示】
【発明が解決しようとする課題】
【０００５】
ところで、スライド式の複合筆記具は、軸筒内の筆記体の交換時やシャープペンシル体を含む複合筆記具においては、鉛芯を補充等のために、軸筒の先端部に、口金や口先部を一体に設けた前軸等の先部材を着脱自在に螺合している。しかし、先部材の着脱時に回転操作する時に、手や指をクリップに当接して滑り止めとし、回転操作することが多く、回転力が強い場合にはクリップ部材が破損する恐れがあった。
【０００６】
しかしながら、特許文献２は、クリップの玉部よりも前方に、軸筒外周面に接触または近接する突部を設けることで、クリップの先端部の軸心方向へ押圧による係止部からの解除を防止することはできるが、先部材の着脱時に回転操作し易いものではなかった。
【０００７】
また、特許文献３は、軸筒に溝を形成し、溝に形成した段部にクリップの玉部を当接することで、クリップの先端部が軸心方向へ押圧による係止部からの解除を防止するとともに、クリップの玉部が軸筒に形成した溝に入り込んでいるため、横触れも防止することはできるが、先部材の着脱を容易にするものではなく、クリップに負荷が加わってしまう。さらに、経時や他の部材との嵌合によって溝幅が縮小する恐れがあり、スムーズにスライドできない恐れがあった。
【０００８】
本発明の目的は、クリップの先端部の軸心方向へ押圧による係止部からの解除を抑制するとともに、筆記体の交換が容易な、シャープペンシル体を含むスライド式の複合筆記具を簡単な構造で提供することである。
【課題を解決するための手段】
【０００９】
本発明は、軸筒内にシャープペンシル体を含む複数の筆記体を配設し、各筆記体の後部に連接した摺動体を、コイルスプリングにより軸筒後端方向に付勢して摺動溝に摺動自在に収納し、前記摺動体を軸筒先端方向にスライドすることにより、摺動体の後端部に形成した係合突起を軸筒に形成した係止部に係止して筆記体の突出を維持するとともに、前記シャープペンシル体の先端部が、前記軸筒の先端開口部から突出を維持した状態で、前記シャープペンシル体に連接した摺動体を軸筒先端方向にスライドすることにより、前記シャープペンシル体の鉛芯繰出機構を作動させて、鉛芯を繰り出し可能としたシャープペンシル体を含むスライド式の複合筆記具であって、前記シャープペンシル体に連接した摺動体にクリップを一体に形成または付設し、前記クリップの先端部の玉部が、前記シャープペンシル体の先端部の没入状態から前記軸筒の先端開口部から突出を維持するまで、前記軸筒の外表面と離間してスライドするとともに、前記軸筒の外表面に、前記シャープペンシル体の鉛芯繰出機構の作動時に前記玉部に当接する凸部を形成したことを特徴とする。
【００１０】
また、前記シャープペンシル体の先端部が、前記軸筒の先端開口部から突出を維持した状態で、前記クリップ部材の先端部の玉部が、前記凸部に近接するとともに、前記軸筒の軸心から垂直に延び、前記凸部を通過する垂線上に位置することを特徴とする。
【００１１】
また、前記クリップの上面の先端部に貫通孔を形成し、前記上面部に設けた貫通穴から装飾部を突出して具備するとともに、前記装飾部が、軸心方向に向かって移動及び／または圧縮可能に具備してあることを特徴とする。
【００１２】
また、前記クリップの上面の先端部に、装飾部を具備するとともに、前記装飾部が、弾性体からなることを特徴とする。
【００１３】
更にまた、前記凸部の周方向の幅が、前記クリップ先端部の周方向の幅よりも大きいことを特徴とする。
【００１４】
更にまた、前記クリップを一体に形成または付設した摺動体を付勢するコイルスプリングの取付荷重が、他のコイルスプリングの取付荷重よりも大きいことを特徴とする。
【００１５】
尚、本発明における鉛芯繰出機構とは、シャープペンシルにおいて一般的に知られているチャック等の鉛芯を繰り出す機構のことである。また、コイルスプリングの取付荷重とは、自由長から取付長にコイルスプリングを圧縮した時の弾発力を示すものである。
【００１６】
また、本発明の弾性体には、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具に用いる一般的に知られている弾性体のなかから適宜選定すればよい。
【発明の効果】
【００１７】
本発明は、前述した構成なので、クリップの先端部の軸心方向へ押圧による係止部からの解除を抑制するとともに、筆記体の交換が容易な、シャープペンシル体を含むスライド式の複合筆記具を簡単な構造で提供することができた。
【発明を実施するための最良の形態】
【００１８】
以下、図面を参照して本発明の実施例を説明する。尚、図面中同じ部材、同じ部品については同じ番号を付してある。
【００１９】
実施例１
図１から図６に示す、シャープペンシル体を含むスライド式の複合筆記具１は、前軸２と後軸３を螺着し、さらに前軸２に口金４を螺着して軸筒本体を構成し、後軸３内に配設した摺動体５の隆起部及び摺動体６に連接したクリップ７を外部に露出して配設してある。各摺動体には、インキ色の異なるボールペン体８を３本及びシャープペンシル体９をコイルスプリング１２により後方に付勢させて摺動可能に連接してある、従来から知られている出没機構のスライド式の複合筆記具であり、後軸３の内部には、区画室１４、後軸３の後端部には、消しゴム１０及び消しゴムキャップ１１を配設し、前軸２の把持部には、グリップ部材１３を装着してある。
【００２０】
シャープペンシル体９の先端部９ａを口金４の先端開口部４ａから出没させるには、クリップ７を口金４の先端開口部４ａ方向へスライドすることにより、摺動体６の係合突起６ａが後軸３内に形成した係止部３ｂに係止して、シャープペンシル体９の筆記先端部９ａを軸筒の先端開口部２ａから選択して突出を維持することができる。
【００２１】
シャープペンシル体９の先端部９ａが口金４の先端開口部４ａから突出を維持した状態で、さらにクリップ７を口金４の先端開口部４ａ方向にスライドすることにより、シャープペンシル体９の鉛芯繰出装置（図示せず）が作動して鉛芯を繰り出すことができる。
【００２２】
また、シャープペンシル体９の先端部９ａを口金４の先端開口部４ａから突出した状態で、摺動体５を口金４の先端開口部４ａ方向にスライドすることで、摺動体６の係止を解除し、シャープペンシル体９の先端部９ａを口金４内に没入させることができる。さらに摺動体５を口金４の先端開口部４ａ方向へスライドすることにより、ボールペン体８のチップ先端部８ａの突出状態を維持することができる。
【００２３】
後軸３の外表面には、シャープペンシル体９の先端部９ａが、口金４の先端開口部４ａから突出状態で、クリップ７の玉部７ｂに近接（非接触）し、シャープペンシル体９の鉛芯繰出機構を作動時に、クリップ７の玉部７ｂに当接する凸部３ａを形成してある。
【００２４】
具体的には、シャープペンシル体９の先端部９ａが没入した状態から突出を維持するまで、クリップ７の先端部に形成した玉部７ｂは、後軸３の外表面及び凸部３ａとは非接触状態としてあり、シャープペンシル体９の先端部９ａの突出操作をスムーズに行える。その後、シャープペンシル体９の鉛芯繰出機構を作動時に、クリップ７の先端部に形成した玉部７ｂと、後軸３の凸部３ａが当接を開始する。
【００２５】
図３に示すように、シャープペンシル９の鉛芯繰出作動の時には、玉部７ｂと凸部３ａが当接している状態であるため、クリップ７の後端側がクリップ７の先端部の玉部７ｂを支点にして持ち上げられることはなく、クリップ７に連接した摺動体６の係合突起６ａが係止部３ｂから外れて、シャープペンシル体９が没入することはない。
【００２６】
また、図２に示すように、シャープペンシル体９の先端部９ａを突出状態において、クリップ７の先端部に形成した玉部７ｂは、後軸３の凸部３ａとは非接触状態であるが、玉部７ｂが、軸筒の軸心Ｊから垂直に延び、凸部３ａを通過する垂線上に位置するよういにすることで、使用者の指等がクリップ７の先端側に触れた場合等、クリップの後端側が、クリップ７の先端部の玉部７ｂが凸部３ａに当接するまで微小に持ち上げられるが、玉部７ｂが凸部３ａに当接後は、それ以上の持ち上げを防止し、クリップ７に連接した摺動体６の係合突起６ａが係止部３ｂから外れて、シャープペンシル体９が没入することを抑制することができる。
【００２７】
尚、クリップ７に付設した摺動体６を付勢するコイルスプリング１２の取付荷重を、他の摺動体５を付勢するコイルスプリング（図示せず）の取付荷重よりも大きくして、摺動体６を後方へ付勢する力を高めて、クリップ７に連接した摺動体６の係合突起６ａが係止部３ｂから外れることを抑制することが好ましい。
【００２８】
また、ボールペン体６の交換やシャープペンシル体９への鉛芯の補充等、口金４を取り外し、再度、螺合する場合には、凸部３ａに指や手が当接し、回転方向の滑り止めとなるため、口金４の螺合を容易にすることができる。
【００２９】
更にまた、後軸３の後端部に配設した消しゴム１０や消しゴムを覆うキャップ１１を着脱する場合にも同様に、凸部３ａに指や手が当接し、軸筒後端方向への滑り止めとなるため、消しゴム１０の使用時や消しゴムを覆うキャップ１１の着脱が容易になる。
【００３０】
軸筒の外表面に形成する凸部３ａの形状は、特に限定されるものではないが、凸部３ａの周方向Ｇの幅が、クリップ７の先端部の周方向の幅Ｈよりも大きくすることで、手や指等のクリップへの接触を抑制するこができるので好ましい。
【００３１】
クリップ７を詳述すると、金属製からなり、鋸歯状の装着部７ｃによって摺動体６に装着してあり、この装着部７ｃから先端に向かって延びる上面部７ｄと、上面部７ｄから装着部７ｃ側に折り返す折り返し部７ｅと、折り返し部７ｅから装着部７ｃの方向に向かって延びる底面部７ｆとからなり、上面部７ｄと底面部７ｆに間隙を形成してある。さらに、クリップ７の先端部に、ポケット等にクリップ７を挟持した時に接触する略円弧状の玉部７ｂを一体に形成してある。
【００３２】
また、クリップ７には、上面部７ｄと底面部７ｆの間隙に、熱可塑性エラストマーからなる装飾体７ａを、装飾体７ａの円弧状の突起部が、クリップ７の上面部７ｄに形成した貫通穴から露出するように配設するとともに、装飾部７ａが、底壁部７ｆの弾性変形によって軸心方向に向かって移動可能に具備してある。
【００３３】
装飾体７ａを弾性体で形成することによって、弾性体自体も弾性変形するため、クリップ７の先端部の軸心方向への移動押圧を抑制する効果が向上するので最も好ましい。また、底面部７ｆは、クリップ７全体の撓みに比べ、容易に撓むように形成されているため、使用者の指等が装飾体７ａに触れて、クリップ７の先端部に軸心方向への押圧力が加わった場合、先ず装飾体７ａを介して底面部７ｆが撓み、結果として装飾体７が軸心方向への移動し、押圧力を吸収するので、クリップ７の先端部の軸心方向への移動を抑制する効果を奏する。
【００３４】
尚、本実施例では、便宜上、底面部の撓みによって装飾部を軸心方向に向かって移動可能に具備しているが、装飾部が軸心方向に向かって移動及び／または圧縮可を能であれば、構造は特に限定されるものではない。
【００３５】
また、本実施例では、摺動体にクリップを付設しているが、摺動体とクリップとの連接構造は特に限定されるものではなく、一体に形成してもよい。また、筆記体と摺動体との連接構造も特に限定されるものではない。
【産業上の利用可能性】
【００３６】
本発明のスライド式の複合筆記具は、前述したシャープペンシル体を１本とボールペン体を３本の複合筆記具に限定されるものではなく、少なくともシャープペンシル体を１本含む複数の筆記体を適宜選択して用いることができる。
【図面の簡単な説明】
【００３７】
【図１】実施例１のシャープペンシル体を含む複合筆記具を示す縦断面図である。
【図２】図１におけるシャープペンシル体の筆記先端部を繰り出した状態を示す縦断面図である。
【図３】図２におけるシャープペンシル体の鉛芯の繰り出す状態を示す縦断面図である。
【図４】図１におけるＡ−Ａ断面図である。
【図５】図１におけるクリップ側から見た外観図である。
【図６】図１におけるクリップの拡大断面図である。
【符号の説明】
【００３８】
１  シャープペンシル体を含むスライド式の複合筆記具
２  前軸
３  後軸
３ａ  係止部
４  口金
４ａ  先端開口部
５  摺動体
６  摺動体
６ａ  係合突起
７  クリップ
７ａ  弾性体
７ｅ  底面
８  ボールペン体
８ａ  チップ先端部
９  シャープペンシル体
９ａ  先端部
１０  消しゴム
１１  消しゴムキャップ
１２  コイルスプリング
１３  グリップ
Ｊ  軸心
【図１】
2009202336.tif 000003
【図２】
2009202336.tif 000004
【図３】
2009202336.tif 000005
【図４】
2009202336.tif 000006
【図５】
2009202336.tif 000007
【図６】
2009202336.tif 000008